(57)【要約】【課題】通信性能を維持しつつアンテナを小型化し、インピーダンス調整を自動で行うことを目的としている。【解決手段】送受信手段が受信した搬送波を増幅する増幅回路であって、送受信手段と当該増幅回路が接続されたときの当該増幅回路のインピーダンスを調整するインピーダンス調整回路と、搬送波に重畳される重畳波を生成する重畳波生成部と、搬送波に重畳波を加算した増幅搬送波を出力する増幅部と、搬送波の振幅値の変化に基づき、搬送波が所定の通信信号が載せられた所定の搬送波であることを検出する振幅検出部と、を有し、所定の搬送波が検出されたとき、増幅搬送波を出力する。【選択図】図３
2014178758.tif 000002
【特許請求の範囲】
【請求項１】
送受信手段が受信した搬送波を増幅する増幅回路であって、
前記送受信手段と当該増幅回路が接続されたときの当該増幅回路のインピーダンスを調整するインピーダンス調整回路と、
前記搬送波に重畳される重畳波を生成する重畳波生成部と、
前記搬送波に前記重畳波を加算した増幅搬送波を出力する増幅部と、
前記搬送波の振幅値の変化に基づき、前記搬送波が所定の通信信号が載せられた所定の搬送波であることを検出する振幅検出部と、を有し、
前記所定の搬送波が検出されたとき、前記増幅搬送波を出力する増幅回路。
【請求項２】
前記重畳波は前記搬送波と周波数が同じであって、
前記重畳波が入力される減衰部を有し、
前記インピーダンス調整回路は、
前記減衰部の出力値が最大値となったときの前記インピーダンスを当該増幅回路のインピーダンスに設定する請求項１記載の増幅回路。
【請求項３】
前記重畳波は前記搬送波と周波数が同じであって、
前記重畳波が入力される減衰部を有し、
前記インピーダンス調整回路は、
前記減衰部の出力値が所定の閾値以上となったときの前記インピーダンスを当該増幅回路のインピーダンスに設定する請求項１記載の増幅回路。
【請求項４】
前記増幅部の出力と、当該増幅回路の出力端子との接続を制御するスイッチ部を有し、
前記振幅検出部は、
前記所定の搬送波を検出したとき、前記増幅部の出力と前記出力端子とが接続されるように前記スイッチ部を制御する請求項１乃至３の何れか一項に記載の増幅回路。
【請求項５】
無線による信号の送受信を行う送受信手段と、前記送受信手段が受信した搬送波を増幅する増幅回路と、を有するアンテナモジュールであって、
前記増幅回路は、
前記送受信手段と当該増幅回路が接続されたときの当該増幅回路のインピーダンスを調整するインピーダンス調整回路と、
前記搬送波に重畳される重畳波を生成する重畳波生成部と、
前記搬送波に前記重畳波を加算した増幅搬送波を出力する増幅部と、
前記搬送波の振幅値の変化に基づき、前記搬送波が所定の通信信号が載せられた所定の搬送波であることを検出する振幅検出部と、を有し、
前記所定の搬送波が検出されたとき、前記増幅搬送波を出力するアンテナモジュール。
【請求項６】
無線による信号の送受信を行う送受信手段と、前記送受信手段が受信した搬送波を増幅する増幅回路と、前記信号による通信を行う無線通信部とを有する無線通信装置であって、
前記増幅回路は、
前記搬送波に重畳される重畳波を生成する重畳波生成部と、
前記送受信手段と当該増幅回路が接続されたときの当該増幅回路のインピーダンスを調整するインピーダンス調整回路と、
前記搬送波に前記重畳波を加算した増幅搬送波を前記無線通信部へ出力する増幅部と、
前記搬送波の振幅値の変化に基づき、前記搬送波が所定の通信信号が載せられた所定の搬送波であることを検出する振幅検出部と、を有し、
前記所定の搬送波が検出されたとき、前記増幅搬送波を前記無線通信部へ出力する無線通信装置。
【発明の詳細な説明】
【技術分野】
【０００１】
本発明は、送受信手段が受信した搬送波を増幅する増幅回路、アンテナモジュール及び無線通信装置に関する。
【背景技術】
【０００２】
近年では、二次電池等により駆動し、例えばＲＦＩＤ（Radio Frequency IDentification）等を用いた近距離の無線通信を行う携帯機器が普及されている（特許文献１）。この携帯機器等では、機器内に内蔵するアンテナの小型化が望まれている。しかしながらアンテナを小型化すると、ゲイン低下により通信性能が低下する。そのため近年の携帯機器では、アンテナの通信性能を維持しつつ省スペースで携帯機器に格納する工夫が成されている。
【０００３】
例えば従来では、アンテナを薄いフィルム状にして二次電池を含む電池パックに貼り付けたり、アンテナを細長く作り、携帯機器の横隅や下隅に配置するような技術が既に知られている。
【発明の概要】
【発明が解決しようとする課題】
【０００４】
しかしながら上記従来の技術では、アンテナは携帯機器の空きスペースから考え出された形状となる場合が多い。したがって携帯機器の大きさや形状に合わせて、アンテナの形状や配置場所が変わる場合が多い。このため従来では、携帯機器毎にアンテナの形状や配置場所を考慮する必要があった。
【０００５】
アンテナの配置場所が変わった場合、アンテナの後段の回路との間のインピーダンスは変化する。このため従来では、携帯機器毎にインピーダンスの調整等が必要であり、アンテナを取り付ける際の工程が煩雑であった。
【０００６】
本発明は、上記事情を鑑みてこれを解決すべく成されたものであり、通信性能を維持しつつアンテナを小型化し、インピーダンス調整を自動で行うことを目的としている。
【課題を解決するための手段】
【０００７】
本発明は、上記目的を達成すべく以下の如き構成を採用した。
【０００８】
本発明は、送受信手段が受信した搬送波を増幅する増幅回路であって、前記送受信手段と当該増幅回路が接続されたときの当該増幅回路のインピーダンスを調整するインピーダンス調整回路と、前記搬送波に重畳される重畳波を生成する重畳波生成部と、前記搬送波に前記重畳波を加算した増幅搬送波を出力する増幅部と、前記搬送波の振幅値の変化に基づき、前記搬送波が所定の通信信号が載せられた所定の搬送波であることを検出する振幅検出部と、を有し、前記所定の搬送波が検出されたとき、前記増幅搬送波を出力する。
【発明の効果】
【０００９】
本発明によれば、通信性能を維持しつつアンテナを小型化し、インピーダンス調整を自動で行うことができる。
【図面の簡単な説明】
【００１０】
【図１】アンテナモジュールを説明する図である。
【図２】搬送波の増幅を説明する図である。
【図３】増幅回路を説明する図である。
【図４】増幅回路に入力される変調搬送波を説明する図である。
【図５】インピーダンス調整回路を説明する図である。
【発明を実施するための形態】
【００１１】
本発明では、アンテナから受信した搬送波に所定周波数の重畳波を重畳させて無線通信装置へ出力することで、通信性能を維持しつつアンテナの小型化を可能とする。また本破発明では、アンテナの後段の回路との間のインピーダンス調整を自動で行う。
【００１２】
以下に図面を参照して本発明の実施形態について説明する。図１は、アンテナモジュールを説明する図である。
【００１３】
本実施形態のアンテナモジュール１０は、増幅回路１００と、アンテナ２００とを有し、無線チップ１１と接続されている。
【００１４】
本実施形態のアンテナモジュール１０は、無線チップ１１と接続されている。本実施形態のアンテナモジュール１０は、アンテナ２００が受信した搬送波に、振幅値の変化により表される通信信号が載せられていたとき、搬送波を増幅し、振幅変化を広げて無線チップ１１に供給する。本実施形態のアンテナモジュール１０では、この構成によりアンテナ２００を小型化した場合でも通信性能を維持することができる。
【００１５】
以下に図２を参照して本実施形態における搬送波の増幅を説明する。図２は、搬送波の増幅を説明する図である。
【００１６】
本実施形態の増幅回路１００では、重畳波生成部１１０において所定周波数の信号（重畳波）が生成され、高調波除去部１２０において生成された信号の高調波成分が除去される。高調波成分が除去された信号は、ドライバ１３０を介してアンテナ２００が受信した搬送波に加算される。このため本実施形態では、搬送波の振幅を広げることができ、アンテナ２００の小型化によりゲインが低下した場合でも通信性能を維持することができる。
【００１７】
図３は、増幅回路を説明する図である。
【００１８】
本実施形態の増幅回路１００は、重畳波生成部１１０、高調波除去部１２０、ドライバ１３０、スイッチ部１４０、１８０、アッテネータ１５０、振幅検出部１６０、インピーダンス調整回路１７０を有する。また本実施形態の増幅回路１００は、端子Ｔ１〜Ｔ４を有する。本実施形態の増幅回路１００において、端子Ｔ１，Ｔ２は入力端子であり、端子Ｔ３，Ｔ４は出力端子である。
【００１９】
本実施形態の増幅回路１００において、端子Ｔ１，Ｔ２はアンテナ２００と接続されており、端子Ｔ３，Ｔ４は無線チップ１１と接続されている。またアンテナ２００は、無線チップ１１と接続されている。
【００２０】
本実施形態の増幅回路１００は、端子Ｔ１，Ｔ２から入力された搬送波の振幅値に基づき所定の通信信号が載せられた搬送波を検出する。そして増幅回路１００は、検出した搬送波に所定周波数の信号（以下、重畳波）を重畳して増幅した後に無線チップ１１へ出力する。
【００２１】
以下に本実施形態の無線チップ１１についてさらに説明する。本実施形態の無線チップ１１は、例えばＲＦＩＤ（Radio Frequency IDentification）チップ等であり、無線チップ１１が搭載された携帯機器を識別する識別情報等が格納されたメモリを有していても良い。また本実施形態の無線チップ１１は、ＲＦＩＤチップで無くても良く、例えばＲＦＩＤリーダ／ライタにもなり得るＲＦＩＤコントローラであっても良い。
【００２２】
無線チップ１１は、例えばＲＦＩＤリーダ等に接近すると、ＲＦＩＤリーダから送信される所定周波数（例えば１３．５６ＭＨｚ）の搬送波をアンテナモジュール１０を介して受信する。
【００２３】
本実施形態のアンテナモジュール１０において増幅回路１００は、アンテナ２００が受信した搬送波に振幅値の変化により表される通信信号が載せられていたとき、搬送波を増幅して無線チップ１１へ供給する。以下の本実施形態の説明では、通信信号が載せられた搬送波を変調搬送波と呼ぶ。
【００２４】
無線チップ１１は、変調搬送波が供給されると、無線チップ１１内の負荷（図示せず）を切り換える負荷変調により、アンテナモジュール１０を介して応答信号を返送する。尚無線チップ１１が応答信号を返送する期間は、アンテナ２００が振幅値が変化しない搬送波を受信している期間である。
【００２５】
図４は、増幅回路に入力される変調搬送波を説明する図である。図４は、ＲＦＩＤリーダから送信される変調搬送波の一例を示している。本実施形態では、例えば所定周波数で振幅値Ｈ１の波形と振幅値Ｈ２の波形とが交互に出現する信号を、ＲＦＩＤリーダから送信される変調搬送波とした。
【００２６】
本実施形態の増幅回路１００では、変調搬送波を受信したことを検出し、この変調搬送波に重畳波を重畳して増幅した変調搬送波を無線チップ１１へ出力する。無線チップ１１は増幅回路１００から受けた増幅された変調搬送波をエネルギー源として動作し、メモリに格納された識別情報等を増幅された変調搬送波の無変調区間の振幅を変えて、ＲＦＩＤリーダへ返送する。
【００２７】
以下に本実施形態の増幅回路１００について説明する。本実施形態の増幅回路１００は、重畳波生成部１１０、高調波除去部１２０、ドライバ１３０、スイッチ部１４０、１８０、アッテネータ１５０、振幅検出部１６０、インピーダンス調整回路１７０を有する。
【００２８】
本実施形態の重畳波生成部１１０は、アンテナ２００が受信した変調搬送波に重畳される所定周波数の重畳波を生成する。本実施形態の重畳波は、例えばＲＦＩＤリーダから送信される変調搬送波と位相が同期しており、同じ周波数である。尚重畳波の位相は、変調周波数の位相と同じでなくても良い。また本実施形態の重畳波生成部１１０は、後述するインピーダンス調整の際にスイッチ部１８０を介してアッテネータ１５０に搬送波と同じ周波数の信号を供給する。
【００２９】
本実施形態の高調波除去部１２０は、生成された重畳波の高調波成分を除去する。
【００３０】
本実施形態のドライバ１３０は、変調搬送波を増幅した信号を出力する。以下の本実施形態の説明では、変調搬送波を増幅した信号を増幅変調搬送波と呼ぶ。
【００３１】
スイッチ部１４０は、ドライバ１３０と端子Ｔ３，Ｔ４の接続を制御するものであり、振幅検出部１６０から供給される制御信号によりオン／オフが制御される。
【００３２】
アッテネータ１５０は、端子Ｔ１，Ｔ２から入力された搬送波を減衰させる。またアッテネータ１５０の出力は、インピーダンス調整回路１７０に供給される。
【００３３】
振幅検出部１６０は、端子Ｔ１，Ｔ２から入力される搬送波から変調搬送波を検出し、検出した変調搬送波をドライバ１３０へ供給する。また本実施形態の振幅検出部１６０は、変調搬送波を検出するとスイッチ部１４０に対し、スイッチ部１４０をオンさせる制御信号を出力する。振幅検出部１６０の詳細は後述する。
【００３４】
インピーダンス調整回路１７０は、端子Ｔ１，Ｔ２とアッテネータ１５０との間に接続されており、アンテナモジュール１０全体のインピーダンスを調整する。また本実施形態のインピーダンス調整回路１７０は、スイッチ部１８０のオン／オフを制御する。インピーダンス調整回路１７０の詳細は後述する。
【００３５】
以下に本実施形態の増幅回路１００による信号の増幅に関する動作を説明する。まず本実施形態のアンテナモジュール１０が変調搬送波を受信した場合の動作を説明する。
【００３６】
本実施形態のアンテナモジュール１０において、アンテナ２００から信号が入力されると、入力された信号はアッテネータ１５０を介して振幅検出部１６０へ供給される。
【００３７】
本実施形態の振幅検出部１６０は、アッテネータ１５０を介して供給された信号の振幅に基づき、この信号が変調搬送波であるか否かを判断する。具体的には例えば本実施形態の振幅検出部１６０は、例えば搬送波除去フィルタを含むコンパレータ等の二値化回路等である。振幅検出部１６０は、例えばアッテネータ１５０から供給された搬送波の振幅値がＨ１の場合はハイレベル（以下、Ｈレベル）の出力し、振幅値がＨ２の場合はローレベル（以下、Ｌレベル）を出力しても良い。以下の説明では、振幅検出部１６０が検出した振幅に基づき出力する２値の信号を変調２値信号と呼ぶ。
【００３８】
本実施形態では、例えば振幅検出部１６０から出力される変調２値信号が、Ｈレベルである期間ｔ１、出力がＬレベルの期間ｔ２、出力がＨレベルの期間ｔ３というように変化したとき（図４参照）、端子Ｔ１，Ｔ２に入力される搬送波を変調搬送波として検出する。尚本実施形態の振幅検出部１６０における変調搬送波の検出方法は、上述したパターンに限定されない。本実施形態の振幅検出部１６０は、例えば変調２値信号が予め決められた所定パターンとなった場合に、入力された信号を変調搬送波として検出しても良い。
【００３９】
本実施形態の振幅検出部１６０は、変調搬送波を検出すると、スイッチ部１４０に対し、スイッチ部１４０をオン／オフさせる制御信号を出力する。具体的には振幅検出部１６０は、変調搬送波を検出すると、制御信号によりスイッチ部１４０をオンさせる。また本実施形態の振幅検出部１６０は、検出された変調搬送波をドライバ１３０へ出力する。
【００４０】
また本実施形態では、入力された搬送波はアッテネータ１５０を介して重畳波生成部１１０とドライバ１３０とに供給される。重畳波生成部１１０では、搬送波と重畳波との位相を合わせる位相補正を行う。本実施形態の重畳波生成部１１０は、例えばＰＬＬ回路等である。
【００４１】
スイッチ部１４０が制御信号によりオンされると、ドライバ１３０と端子Ｔ３，Ｔ４とが接続される。
【００４２】
本実施形態ではドライバ１３０には、重畳波生成部１１０で生成された重畳波と、振幅検出部１６０を介して供給される変調２値信号とが入力される。本実施形態のドライバ１３０において変調搬送波は、重畳波が加算された増幅変調搬送波となる。増幅変調搬送波は、端子Ｔ３，Ｔ４を介して無線チップ１１へ供給される。
【００４３】
次に本実施形態のアンテナモジュール１０が無線チップ１１から出力された応答信号を送信する場合の動作を説明する。
【００４４】
本実施形態のアンテナモジュール１０では、無線チップ１１から出力される応答信号を例えばＲＦＩＤリーダに送信する際には、応答信号の増幅を行わない。無線チップ１１から出力される信号は、負荷変調により増幅変調搬送波の振幅値を変化させた信号である。
【００４５】
本実施形態のアンテナモジュール１０では、端子Ｔ１，Ｔ２は無線チップ１１とも接続されている。したがってアンテナモジュール１０には、無線チップ１１から出力された応答信号も入力される場合がある。この場合、端子Ｔ１，Ｔ２から入力される搬送波の振幅値は、所定パターンとはならない。よってスイッチ部１４０はオフのままであり、ドライバ１３０と端子Ｔ３，Ｔ４とは接続されず、アンテナモジュール１０からは信号は出力されない。
【００４６】
このためアンテナ２００には無線チップ１１から出力される信号のみが供給され、送信される。
【００４７】
以上のように本実施形態では、アンテナ２００が受信した搬送波が、通信信号が載せられた変調搬送波である場合のみ、この変調搬送波に重畳波を加算した増幅変調搬送波として無線チップ１１へ供給することができる。よって本実施形態によれば、通信性能を維持しつつアンテナを小型化することができる。
【００４８】
尚本実施形態では、振幅検出部１６０は、変調搬送波を検出したときスイッチ部１４０によりオンさせてドライバ１３０と端子Ｔ３，Ｔ４とを接続させる構成としたが、これに限定されない。
【００４９】
振幅検出部１６０は、例えば搬送波の振幅値がＨ１のときのみ、スイッチ部１４０をオンさせてドライバ１３０と端子Ｔ３，Ｔ４とを接続させても良い。この場合、図４に示す期間Ｔ１と期間Ｔ３においてスイッチ部１４０がオンされ、搬送波に重畳波が加算される。よってドライバ１３０から出力される増幅変調搬送波は、期間Ｔ１，Ｔ３のみの振幅値が増幅されることとなり、より振幅変化を広げることができる。
【００５０】
また本実施形態では、アンテナモジュール１０は増幅回路１００とアンテナ２００による構成としたが、アンテナモジュール１０の中に無線チップ１１が含まれる構成であっても良い。また本実施形態では、無線チップ１１と増幅回路１００とがアンテナ２００に並列に接続された形態としたが、これに限定されない。例えば無線チップ１１は、増幅回路１００の後段に接続されていても良い。
【００５１】
次に本実施形態の増幅回路１００におけるインピーダンス調整について説明する。本実施形態の増幅回路１００では、アンテナモジュール１０のインピーダンスを調整する。より具体的には本実施形態の増幅回路１００は、インピーダンス調整回路１７０により、搬送波の周波数が共振周波数となるようにアンテナモジュール１０のインピーダンスを調整する。
【００５２】
以下に図５を参照して本実施形態のインピーダンス調整回路１７０について説明する。図５は、インピーダンス調整回路を説明する図である。
【００５３】
本実施形態のインピーダンス調整回路１７０は、容量素子群１８０と、調整制御部１９０とを有する。容量素子群１８０は、調整制御部１９０と接続されている。本実施形態の調整制御部１９０は、容量素子群１８０に含まれる容量素子から、端子Ｔ１，Ｔ２と接続される容量素子を選択する。
【００５４】
本実施形態の容量素子群１８０では、並列に接続された容量素子Ｃ１〜Ｃｎと、各容量素子Ｃ１〜Ｃｎを端子Ｔ１，Ｔ２と接続するためのスイッチＳＷ１〜ＳＷｎとを有する。スイッチＳＷ１〜ＳＷｎは、容量素子Ｃ１〜Ｃｎと対応しており、オン／オフが調整制御部１９０により制御される。
【００５５】
本実施形態の調整制御部１９０は、スイッチ制御部１９１、インピーダンス調整部１９２、組み合わせ抽出部１９３、インピーダンス設定部１９４、記憶部１９５を有する。
【００５６】
本実施形態のスイッチ制御部１９１は、スイッチ部１８０のオン／オフを制御する。インピーダンス調整部１９２は、オンさせるスイッチＳＷ１〜ＳＷｎを変更することで容量を変化させ、インピーダンスを調整する。
【００５７】
組み合わせ抽出部１９３は、アッテネータ１５０から出力される信号のレベル（以下、出力値）が、容量素子群１８０の容量素子Ｃ１〜Ｃｎで実現し得る全ての組み合わせにおいて、出力値が最大値となる組み合わせを抽出する。
【００５８】
以下に本実施形態の増幅回路１００におけるインピーダンス調整回路１７０の動作を説明する。本実施形態では、例えばアンテナモジュール１０が搭載された機器が起動されたとき等に後述するインピーダンス調整を行っても良い。
【００５９】
本実施形態のインピーダンス調整回路１７０は、インピーダンス調整において、スイッチ制御部１９１により、スイッチ部１８０より重畳波生成部１１０とアッテネータ１５０とを接続する。具体的にはスイッチ制御部１９１は、スイッチ部１８０をオンさせて重畳波生成部１１０とアッテネータ１５０とを接続させる。
【００６０】
重畳波生成部１１０とアッテネータ１５０とが接続されると、アッテネータ１５０には重畳波生成部１１０で生成される搬送波と同じの周波数の信号が入力される。ここで生成される信号の周波数は、例えば１３．５６ＭＨｚである。
【００６１】
次にインピーダンス調整回路１７０は、インピーダンス調整部１９２により、容量素子群１８０の有するスイッチＳＷ１〜ＳＷｎを順次オンさせる。
【００６２】
本実施形態のインピーダンス調整部１９２は、スイッチＳＷ１〜ＳＷｎのオン／オフを制御して、容量素子群１８０の容量素子Ｃ１〜Ｃｎの組み合わせで取り得る容量の値全てに対応したアッテネータ１５０の出力値を取得する。続いて組み合わせ抽出部１９３は、取得した出力値が最大となる容量素子Ｃ１〜Ｃｎの組み合わせを抽出する。
【００６３】
次にインピーダンス設定部１９４は、抽出された組み合わせにおいてオンされていたスイッチＳＷ１〜ＳＷｎをオンで固定するように設定する。オンで固定されるスイッチＳＷ１〜ＳＷｎの情報は、例えば設定情報として記憶部１９５に格納される。
【００６４】
以上のように本実施形態では、アッテネータ１５０の出力値が最大となる容量素子の組み合わせを設定情報とすれば、搬送波の周波数を共振周波数とすることができる。よって本実施形態では、アンテナモジュール１０のインピーダンスを最適な値とすることができる。
【００６５】
また本実施形態では、アッテネータ１５０の出力値が最大値となるときのインピーダンスを採用するものとしたが、これに限定されない。例えば容量素子の組み合わせのパターンの数が非常に多い場合等は、アッテネータ１５０の出力値が所定の閾値以上となったときのインピーダンスを採用する構成としても良い。
【００６６】
この場合組み合わせ抽出部１９３は、アッテネータ１５０の出力値と、記憶部１９５に予め格納された閾値とを比較する。アッテネータ１５０の出力値が閾値未満である場合、インピーダンス調整部１９２は、オンさせるスイッチＳＷ１〜ＳＷｎを変更する。
【００６７】
例えばインピーダンス調整部１９２は、スイッチＳＷ１をオンとし、容量素子Ｃ１を端子Ｔ１，Ｔ２と接続させる。このとき組み合わせ抽出部１９３は、アッテネータ１５０の出力値が閾値以上であるか否かを判断する。出力値が閾値未満の場合、インピーダンス調整部１９２はスイッチＳＷ１，ＳＷ２をオンとし同様の判定を行う。
【００６８】
また出力値が閾値以上の場合、インピーダンス設定部１９４は、この組み合わせでオンされているスイッチＳＷ１，ＳＷ２をオン固定のスイッチに設定する。
【００６９】
本実施形態の閾値は、通信を行うのに十分な値に設定されている。よって本実施形態では、アッテネータ１５０の出力値が閾値以上となるようにインピーダンスを調整することで、通信の性能を維持できる。
【００７０】
また本実施形態では、増幅回路１００に含まれるインピーダンス調整回路１７０によりインピーダンスを調整するため、アンテナモジュール１０が搭載される機器毎のインピーダンスの調整が不要となる。
【００７１】
また本実施形態のインピーダンス調整回路１７０は、並列に接続される複数の容量素子群１８０によりインピーダンスを調整するものとしたが、これに限定されない。例えばインピーダンスの調整には、直列に接続される複数の抵抗を用いても良い。
【００７２】
本実施形態では、以上のようにアンテナモジュール１０のインピーダンスを調整することで、通信性能を維持しつつ機器毎のインピーダンス調整を自動で行うことができる。
【００７３】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００７４】
１０  アンテナモネジュール
１１  無線チップ
１００  増幅回路
１１０  重畳波生成部
１２０  高調波除去部
１３０  ドライバ
１４０  スイッチ部
１５０  アッテネータ
１６０  振幅検出部
１７０  インピーダンス調整回路
１８０  スイッチ部
２００  アンテナ
【先行技術文献】
【特許文献】
【００７５】
【特許文献１】特開２００９−６５４２６号公報
【図１】
2014178758.tif 000003
【図２】
2014178758.tif 000004
【図３】
2014178758.tif 000005
【図４】
2014178758.tif 000006
【図５】
2014178758.tif 000007